(57)【特許請求の範囲】
【請求項１】
内部に空間を有した箱体と、
ダンボールで形成された底壁の両側に形成された一対の第１縁部を上方に折り曲げることにより形成された一対の第１外板と前記一対の第１縁部に直交する第２縁部を上方に折り曲げることにより形成された第２外板とを有し、前記空間に掃除機の本体が収納される際に前記空間内で前記一対の第１外板と前記第２外板とよりも中央側で前記底壁の上面に前記本体を載置するように形成された支持部材と、
を備え、
前記支持部材は、
前記空間内で水平投影面上において前記箱体の一側における２つの隅部に配置された状態で前記箱体の上下内面に接するように前記第１外板の一方の両側縁部を前記底壁から離れる方向に折り曲げることにより形成された一対の第１折り曲げ部と、
前記空間内で水平投影面上において前記箱体の他側における２つの隅部に配置された状態で前記箱体の上下内面に接するように前記第１外板の他方の両側縁部を前記底壁に近付く方向に折り曲げることにより形成された一対の第２折り曲げ部と、
前記空間に前記本体が収納される際に前記本体の上方に配置されるように前記一対の第１外板の上縁部の一部を前記底壁側に折り曲げることにより形成された一対の外片と、
を有し、
前記第２外板の外側において前記掃除機の吸い込み具を収納し、前記第１外板の一方の外側において前記掃除機の連結パイプを収納し、前記一対の外片により前記掃除機のホースを下方から支持する梱包装置。
【請求項２】
前記一対の第１折り曲げ部は、前記第１外板の一方の両側縁部を６０度以上１２０度以下の角度で折り曲げることにより形成され、
前記一対の第２折り曲げ部は、前記第１外板の他方の両側縁部を６０度以上１２０度以下の角度で折り曲げることにより形成された請求項１に記載の梱包装置。
【請求項３】
前記底壁と前記一対の第１外板との境界に形成された一対の折り曲げ罫線の前記底壁側に切り込みを入れることにより形成され、前記一対の折り曲げ罫線により前記一対の第１外板が上方に折り曲げられた際に前記底壁よりも下方へ突出する複数の凸部を有した請求項１又は請求項２に記載の梱包装置。
【請求項４】
前記一対の第１折り曲げ部と前記一対の第２折り曲げ部とは、前記空間に前記本体が収納される際に前記箱体の上内面との接触長さと前記箱体の下内面との接触する長さが均等となるように形成された請求項１〜請求項３のいずれかに記載の梱包装置。
【請求項５】
前記一対の第１外板は、上縁部において前記一対の第１折り曲げ部以外の箇所が前記一対の第１折り曲げ部よりも下方に凹んだ請求項１〜請求項４のいずれかに記載の梱包装置。
【発明の詳細な説明】
【技術分野】
【０００１】
この発明は、梱包装置に関するものである。
【背景技術】
【０００２】
梱包装置として、箱体、下緩衝体、上緩衝体を備えたものが提案されている。当該梱包装置においては、箱体内に下緩衝体が収納される。下緩衝体に電気掃除機等の被梱包物が載置される。被梱包物の上部には、上緩衝体が載置される。この状態で、箱体のフラップが閉められる。この際、上緩衝体の上縁部は、箱体のフラップの下面に接触する。このため、被梱包物の上方への移動が阻止される（例えば、特許文献１参照）。
【先行技術文献】
【特許文献】
【０００３】
【特許文献１】特開平５−４６５９号公報
【発明の概要】
【発明が解決しようとする課題】
【０００４】
被梱包物は、上記梱包装置に梱包された状態で倉庫に保管されたり輸送されたりする。この際、外部から上下方向の圧縮力がかかると、箱体が座屈してつぶれ得る。この場合、被梱包物に圧縮力がかかる。当該圧縮力により、被梱包物が変形する。
【０００５】
この発明は、上述の課題を解決するためになされたもので、その目的は、保管時や輸送時における被梱包物の変形を防止することができる梱包装置を提供することである。
【課題を解決するための手段】
【０００６】
この発明に係る梱包装置は、内部に空間を有した箱体と、ダンボールで形成された底壁の両側に形成された一対の第１縁部を上方に折り曲げることにより形成された一対の第１外板と前記一対の第１縁部に直交する第２縁部を上方に折り曲げることにより形成された第２外板とを有し、前記空間に掃除機の本体が収納される際に前記空間内で前記一対の第１外板と前記第２外板とよりも中央側で前記底壁の上面に前記本体を載置するように形成された支持部材と、を備え、前記支持部材は、前記空間内で水平投影面上において前記箱体の一側における２つの隅部に配置された状態で前記箱体の上下内面に接するように前記第１外板の一方の両側縁部を前記底壁から離れる方向に折り曲げることにより形成された一対の第１折り曲げ部と、前記空間内で水平投影面上において前記箱体の他側における２つの隅部に配置された状態で前記箱体の上下内面に接するように前記第１外板の他方の両側縁部を前記底壁に近付く方向に折り曲げることにより形成された一対の第２折り曲げ部と、前記空間に前記本体が収納される際に前記本体の上方に配置されるように前記一対の第１外板の上縁部の一部を前記底壁側に折り曲げることにより形成された一対の外片と、を有し、前記第２外板の外側において前記掃除機の吸い込み具を収納し、前記第１外板の一方の外側において前記掃除機の連結パイプを収納し、前記一対の外片により前記掃除機のホースを下方から支持するものである。
【発明の効果】
【０００７】
この発明によれば、保管時や輸送時における被梱包物の変形を防止することができる。
【図面の簡単な説明】
【０００８】
【図１】この発明の実施の形態１における梱包装置で電気掃除機を梱包する際の分解斜視図である。
【図２】この発明の実施の形態１における梱包装置に利用される支持部材の展開平面図である。
【図３】この発明の実施の形態１における梱包装置に利用される支持部材の斜視図である。
【図４】この発明の実施の形態１における梱包装置で電気掃除機を梱包した際の斜視図である。
【図５】この発明の実施の形態１における梱包装置で電気掃除機を梱包した際の縦断面図である。
【図６】図５のＡ−Ａ線における断面図である。
【図７】この発明の実施の形態２における梱包装置で電気掃除機を梱包した際の縦断面図である。
【発明を実施するための形態】
【０００９】
この発明を実施するための形態について添付の図面に従って説明する。なお、各図中、同一又は相当する部分には同一の符号を付しており、その重複説明は適宜に簡略化ないし省略する。
【００１０】
実施の形態１．
図１はこの発明の実施の形態１における梱包装置で電気掃除機を梱包する際の分解斜視図である。
【００１１】
図１において、１は掃除機本体である。２はホースである。ホース２の一端は、掃除機本体１の前部に連結するように形成される。３は連結パイプである。連結パイプ３の一端は、ホース２の他端に連結するように形成される。４は吸い込み具である。吸い込み具４は、連結パイプ３の他端に連結するように形成される。
【００１２】
５は外装箱（箱体）である。外装箱５は、略直方体状に形成される。外装箱５は、上方に開口する。外装箱５内には、空間が形成される。外装箱５の上縁部には、フラップが形成される。６は支持部材である。支持部材６は、ダンボールで一体形成される。
【００１３】
次に、図２を用いて、支持部材６の組立方法を説明する。
図２はこの発明の実施の形態１における梱包装置に利用される支持部材の展開平面図である。
【００１４】
図２において、７は底壁である。底壁７は、略長方形状に形成される。底壁７の長縁部の一方には、外板８が連結される。底壁７の長縁部の他方には、外板９が連結される。底壁７の短縁部の一方には、外板１０が連結される。底壁７の短縁部の他方には、外板１１が連結される。
【００１５】
外板８と底壁７との境界には、折り曲げ罫線８ａが形成される。折り曲げ罫線８ａの底壁７側には、一対の切り込み罫線８ｂが外板８側に開口するように形成される。すなわち、切り込み罫線８ｂは、長手方向が折り曲げ罫線８ａと平行するように形成される。その結果、凸部８ｃが形成される。
【００１６】
外板８の一側縁部側には、折り曲げ罫線８ｄが折り曲げ罫線８ａと垂直となるように形成される。折り曲げ罫線８ｄの外側には、外片８ｅが形成される。外板８の他側縁部側には、折り曲げ罫線８ｆが折り曲げ罫線８ａと垂直となるように形成される。折り曲げ罫線８ｆの外側には、外片８ｇが形成される。
【００１７】
外板８の外縁部中央には、一対の切り込み罫線８ｈが折り曲げ罫線８ａと垂直となるように形成される。切り込み罫線８ｈの端部間には、折り曲げ罫線８ｉが折り曲げ罫線８ａと平行するように形成される。折り曲げ罫線８ｉの外側には、外片８ｊが形成される。
【００１８】
外板９と底壁７との境界には、折り曲げ罫線９ａが形成される。折り曲げ罫線９ａの底壁７側には、一対の切り込み罫線９ｂが外板９側に開口するように形成される。すなわち、切り込み罫線９ｂは、長手方向が折り曲げ罫線９ａと平行するように形成される。その結果、凸部９ｃが形成される。
【００１９】
外板９の一側縁部側には、折り曲げ罫線９ｄが折り曲げ罫線９ａと垂直となるように形成される。折り曲げ罫線９ｄの外側には、外片９ｅが形成される。外板９の他側縁部側には、折り曲げ罫線９ｆが折り曲げ罫線９ａと垂直となるように形成される。折り曲げ罫線９ｆの外側には、外片９ｇが形成される。外片９ｇの外側には、折り曲げ罫線９ｈが折り曲げ罫線９ａと垂直となるように形成される。折り曲げ罫線９ｈの外側には、外片９ｉが形成される。
【００２０】
外板９の外縁部中央には、一対の切り込み罫線９ｊが折り曲げ罫線９ａと垂直となるように形成される。切り込み罫線９ｊの端部間には、折り曲げ罫線９ｋが折り曲げ罫線９ａと平行するように形成される。折り曲げ罫線９ｋの外側には、外片９ｌが形成される。
【００２１】
折り曲げ罫線９ｆの一端の延長線上には、切り込み罫線９ｍが形成される。切り込み罫線９ｍよりも外板９中央側には、切り込み罫線９ｎが折り曲げ罫線９ａと垂直となるように形成される。切り込み罫線９ｍ、９ｎの端部間には、折り曲げ罫線９ｏが折り曲げ罫線９ａと平行するように形成される。折り曲げ罫線９ｏの外側には、外片９ｐが形成される。
【００２２】
折り曲げ罫線９ｆの他端の延長線上には、切り込み罫線９ｑが形成される。切り込み罫線９ｑよりも外板９中央側には、切り込み罫線９ｒが折り曲げ罫線９ａと垂直となるように形成される。切り込み罫線９ｑ、９ｒの端部間には、折り曲げ罫線９ｓが折り曲げ罫線９ａと平行するように形成される。折り曲げ罫線９ｓの外側には、外片９ｔが形成される。
【００２３】
外板１０と底壁７との境界には、折り曲げ罫線１０ａが形成される。折り曲げ罫線１０ａの底壁７側には、切り込み罫線や凸部は形成されない。
【００２４】
外板１０の一側縁部側には、折り曲げ罫線１０ｂが折り曲げ罫線１０ａと垂直となるように形成される。折り曲げ罫線１０ｂの外側には、外片１０ｃが形成される。外片１０ｃの外側には、折り曲げ罫線１０ｄが折り曲げ罫線１０ａと垂直となるように形成される。折り曲げ罫線１０ｄの外側には、外片１０ｅが形成される。外片１０ｅの外側には、折り曲げ罫線１０ｆが折り曲げ罫線１０ａと垂直となるように形成される。折り曲げ罫線１０ｆの外側には、外片１０ｇが形成される。
【００２５】
外板１０の他側縁部側には、折り曲げ罫線１０ｈが折り曲げ罫線１０ａと垂直となるように形成される。折り曲げ罫線１０ｈの外側には、外片１０ｉが形成される。外片１０ｉの外側には、折り曲げ罫線１０ｊが折り曲げ罫線１０ａと垂直となるように形成される。折り曲げ罫線１０ｊの外側には、外片１０ｋが形成される。外片１０ｋの外側には、折り曲げ罫線１０ｌが折り曲げ罫線１０ａと垂直となるように形成される。折り曲げ罫線１０ｌの外側には、外片１０ｍが形成される。
【００２６】
外片１０ｃの外縁部には、切り込み罫線１０ｎが折り曲げ罫線１０ａと垂直となるように形成される。外片１０ｉの外縁部には、切り込み罫線１０ｏが折り曲げ罫線１０ａと垂直となるように形成される。
【００２７】
外板１０の外縁部側には、折り曲げ罫線１０ｐが折り曲げ罫線１０ａと平行するように形成される。折り曲げ罫線１０ｐの外側には、外片１０ｑが形成される。外片１０ｑの外側には、折り曲げ罫線１０ｒが折り曲げ罫線１０ａと平行するように形成される。折り曲げ罫線１０ｒの外側には、外片１０ｓが形成される。外片１０ｓの一側には、差し込み片１０ｔが形成される。外片１０ｓの他側には、差し込み片１０ｕが形成される。
【００２８】
外板１１と底壁７との間には、折り曲げ罫線１１ａが形成される。折り曲げ罫線１１ａの底壁７側には、切り込み罫線８ｂと同等の切り込み罫線が形成される。その結果、凸部８ｃと同等の凸部が形成される。
【００２９】
外板１１の一側縁部側には、折り曲げ罫線等は形成されない。外板１１の他側縁部側には、折り曲げ罫線１１ｂが折り曲げ罫線１１ａと垂直となるように形成される。折り曲げ罫線１１ｂの外側には、外片１１ｃが形成される。
【００３０】
折り曲げ罫線１１ｂの延長線上には、切り込み罫線１１ｄが形成される。切り込み罫線１１ｄよりも外板１１中央側には、切り込み罫線１１ｅが折り曲げ罫線１１ａと垂直となるように形成される。切り込み罫線１１ｄ、１１ｅの端部間には、折り曲げ罫線１１ｆが折り曲げ罫線１１ａと平行するように形成される。折り曲げ罫線１１ｆの外側には、外片１１ｇが形成される。切り込み罫線１１ｄと外板１１の他側縁部との間には、折り曲げ罫線１１ｈが折り曲げ罫線１１ａと平行するように形成される。折り曲げ罫線１１ｈの外側には、外片１１ｉが形成される。
【００３１】
図２の展開基板から支持部材６を組み立てるには、まず、折り曲げ罫線８ａを支点として、外板８が底壁７の内側方向に９０度折り曲げられる。その結果、凸部８ｃが底壁７よりも下方に突出する。次に、折り曲げ罫線９ａを支点として、外板９が底壁７の内側方向に９０度折り曲げられる。その結果、凸部９ｃが底壁７よりも下方に突出する。次に、折り曲げ罫線１０ａを支点として、外板１０が底壁７の内側方向に９０度折り曲げられる。次に、折り曲げ罫線１１ａを支点として、外板１１が底壁７の内側方向に９０度折り曲げられる。
【００３２】
次に、折り曲げ罫線８ｄを支点として、外片８ｅが底壁７の方向へ９０度折り曲げられる。次に、折り曲げ罫線８ｆを支点として、外片８ｇが底壁７の方向へ９０度折り曲げられる。次に、折り曲げ罫線８ｉを支点として、外片８ｊが底壁７の方向へ０度〜９０度の角度で折り曲げられる。
【００３３】
次に、折り曲げ罫線９ｄを支点として、外片９ｅが底壁７とは反対方向へ９０度折り曲げられる。次に、折り曲げ罫線９ｆを支点として、外片９ｇが底壁７とは反対方向へ９０度折り曲げられる。次に、折り曲げ罫線９ｋを支点として、外片９ｌが底壁７の方向へ０度〜９０度の角度で折り曲られる。
【００３４】
次に、折り曲げ罫線１０ｂを支点として、外片１０ｃが底壁７の方向へ９０度折り曲げられる。次に、折り曲げ罫線１０ｄを支点として、外片１０ｅが底壁７とは反対方向へ９０度折り曲げられる。次に、折り曲げ罫線１０ｆを支点として、外片１０ｇが外片１０ｃの方向へ９０度折り曲げられる。
【００３５】
次に、折り曲げ罫線１０ｈを支点として、外片１０ｉが底壁７の方向へ９０度折り曲げられる。次に、折り曲げ罫線１０ｊを支点として、外片１０ｋが底壁７とは反対方向へ９０度折り曲げられる。次に、折り曲げ罫線１０ｌを支点として、外片１０ｍが外片１０ｉの方向へ９０度折り曲げられる。
【００３６】
次に、折り曲げ罫線１０ｐを支点として、外片１０ｑが底壁７の方向へ９０度折り曲げられる。次に、折り曲げ罫線１０ｒを支点として、外片１０ｓが底壁７の方向へ９０度折り曲げられる。この際、差し込み片１０ｔが切り込み罫線１０ｎに接するように差し込まれる。差し込み片１０ｕが切り込み罫線１０ｏに接するように差し込まれる。
【００３７】
次に、折り曲げ罫線１１ｂを支点として、外片１１ｃが底壁７とは反対方向へ９０度折り曲げられる。次に、折り曲げ罫線１１ｈを支点として、外片１１ｉが底壁７の方向へ０度〜９０度の角度で折り曲げられる。次に、折り曲げ罫線１１ｆを支点として、外片１１ｇが底壁７の方向へ０度〜９０度の角度で折り曲げられる。
【００３８】
次に、折り曲げ罫線９ｓを支点として、外片９ｔが底壁７の方向へ０度〜９０度の角度で折り曲げられる。次に、折り曲げ罫線９ｏを支点として、外片９ｐが底壁７とは反対方向へ０度〜９０度の角度で折り曲げられる。
【００３９】
次に、折り曲げ罫線９ｈを支点として、外片９ｉが外板９側に９０度折り曲げられる。
【００４０】
次に、図３を用いて、組立後の支持部材６を説明する。
図３はこの発明の実施の形態１における梱包装置に利用される支持部材の斜視図である。
【００４１】
図３に示すように、支持部材６は、水平投影面上の４隅に第１〜第４折り曲げ部が形成される。第１折り曲げ部は、外板８の一側と外片８ｅとで形成される。第２折り曲げ部は、外板８の他側と外片８ｇとで形成される。第３折り曲げ部は、外板９の一側と外片９ｅで形成される。第４折り曲げ部は、外片９ｇと外片９ｉとで形成される。
【００４２】
次に、図４を用いて、電気掃除機の梱包方法を説明する。
図４はこの発明の実施の形態１における梱包装置で電気掃除機を梱包した際の斜視図である。
【００４３】
まず、外装箱５に支持部材６が収納される。この際、支持部材６の第１〜第４折り曲げ部は、水平投影面上において外装箱５の４隅に配置される。すなわち、第１折り曲げ部と第４折り曲げ部とは、互いに対角となる位置に配置される。第２折り曲げ部と第３折り曲げ部とは、互いに対角となる位置に配置される。第１〜第４の折り曲げ部の外側ライナー面は、外装箱５の内側面に接するように対向する。
【００４４】
次に、底壁７に掃除機本体１が載置される。この際、掃除機本体１の下部は、底壁７の上面に接する。掃除機本体１は、外片８ｊと外片９ｌとの下方に配置される。次に、外板１１の外側に吸い込み具４（図４においては図示せず）が収納される。この際、吸い込み具４は、外片９ｔ（図４においては図示せず）と外片１１ｉ（図４においては図示せず）との下方に配置される。次に、外板９の外側に連結パイプ３が収納される。
【００４５】
次に、掃除機本体１の上方にホース２が配置される。この際、ホース２の一端は、外片９ｌの上方に配置される。ホース２の一端寄りは、外片８ｊの上方に配置される。ホース２の他端寄りは、外片９ｔと外片１１ｉの上方に配置される。ホース２の他端は、連結パイプ３の上方で外板９の外側に配置される。
【００４６】
次に、外装箱５のフラップが閉められる。これにより、外装箱５の開口部が塞がれる。
【００４７】
次に、図５と図６とを用いて、電気掃除機の梱包状態を説明する。
図５はこの発明の実施の形態１における梱包装置で電気掃除機を梱包した際の縦断面図である。図６は図５のＡ−Ａ線における断面図である。
【００４８】
図５において、５ａは外装箱５の内底面である。５ｂは外装箱５の内天面である。図５に示すように、外板８の一側と外片８ｅとは、内底面５ａと内天面５ｂとに接する。すなわち、第１折り曲げ部は、内底面５ａと内天面５ｂとに接する。この際、第１折り曲げ部において、外装箱５の内底面５ａとの接触長さと内天面５ｂとの接触する長さが略均等となる。
【００４９】
外板８の他側と外片８ｇとは、内底面５ａと内天面５ｂとに接する。すなわち、第２折り曲げ部は、内底面５ａと内天面５ｂとに接する。この際、第２折り曲げ部において、外装箱５の内底面５ａとの接触長さと内天面５ｂとの接触する長さが略均等となる。
【００５０】
図６に示すように、外片９ｇと外片９ｉとは、内底面５ａと内天面５ｂとに接する。すなわち、第４折り曲げ部は、内底面５ａと内天面５ｂとに接する。この際、第４折り曲げ部において、外装箱５の内底面５ａとの接触長さと内天面５ｂとの接触する長さが略均等となる。
【００５１】
なお、図６には示していないが、外板９の一側と外片９ｅとは、内底面５ａと内天面５ｂとに接する。すなわち、第３折り曲げ部は、内底面５ａと内天面５ｂとに接する。この際、第３折り曲げ部において、外装箱５の内底面５ａとの接触長さと内天面５ｂとの接触する長さが略均等となる。
【００５２】
図６に示すように、凸部８ｃと凸部９ｃとは、内底面５ａに接する。その結果、底壁７は、内底面５ａと接触しない位置に配置される。
【００５３】
以上で説明した実施の形態１によれば、支持部材６の第１〜第４折り曲げ部は、外装箱５の内底面５ａと内天面５ｂとに接触するように配置される。このため、梱包装置の圧縮強度は、外装箱５の圧縮強度に支持部材６の第１〜第４折り曲げ部の圧縮強度を加えたものとなる。すなわち、梱包装置全体の圧縮強度が増加する。このため、例えば、電気掃除機を梱包した梱包装置を段積みした場合や輸送する場合に梱包装置に上下方向の圧縮力が加わっても、外装箱５がつぶれることを抑制することができる。従って、電気掃除機が変形することもない。
【００５４】
なお、外装箱５の対向する２隅のみに折り曲げ部を形成しても、梱包装置全体の圧縮強度を効率的に増加させることができる。
【００５５】
また、電気掃除機の梱包時において、掃除機本体１とホース２との間には、外片８ｊと外片９ｌとが配置される。このため、電気掃除機を梱包した梱包装置を輸送する際に、掃除機本体１とホース２とが接触することはない。従って、掃除機本体１とホース２との擦れや変形等の損傷を防止することができる。
【００５６】
また、支持部材６の第１〜第４折り曲げ部の折り曲げ角度は９０度である。このため、第１〜第４折り曲げ部の断面二次モーメントを効率よく大きくすることができる。なお、第１〜第４折り曲げ部の折り曲げ角度が６０度以上かつ１２０度以下であれば、第１〜第４折り曲げ部の断面二次モーメントはある程度大きくなる。
【００５７】
また、支持部材６の凸部８ｃ、９ｃは、底壁７よりも下方へ突出する。その結果、底壁７は、外装箱５の内底面５ａと接触しない位置に配置される。このため、電気掃除機を梱包した梱包装置を落下させた際は、凸部８ｃ、９ｃが折れ曲がって変形する。当該変形により、掃除機本体１にかかる衝撃エネルギーを軽減することができる。従って、掃除機本体１の変形等の損傷を防止することができる。
【００５８】
また、支持部材６の第１〜第４折り曲げ部は、外装箱５の内底面５ａとの接触長さと内天面５ｂとの接触する長さが均等となるように形成される。このため、電気掃除機を梱包した梱包装置を段積みした場合、各梱包装置にかかる荷重が傾くことを防止できる。その結果、外装箱５がつぶれることを確実に防止できる。従って、掃除機本体１の変形等の損傷を防止することができる。
【００５９】
また、外片８ｊを形成することで、外板８の上縁部に直角の段差が形成される。すなわち、第１及び第２折り曲げ部以外の箇所は、第１及び第２折り曲げ部よりも下方に凹む。その結果、第１及び第２折り曲げ部以外の箇所は、内天面５ｂから離れた位置に配置される。外片９ｌを形成することで、外板９の上縁部に直角の段差が形成される。すなわち、第３及び第４折り曲げ部以外の箇所は、内天面５ｂから離れた位置に配置される。その結果、第３及び第４折り曲げ部以外の箇所が第３及び第４折り曲げ部よりも下方に凹む。このため、電気掃除機を梱包した梱包装置を段積みした場合、各梱包装置にかかる荷重が傾くことをより確実に防止できる。
【００６０】
実施の形態２．
図７はこの発明の実施の形態２における梱包装置で電気掃除機を梱包した際の縦断面図である。なお、実施の形態１と同一又は相当部分には同一符号を付して説明を省略する。
【００６１】
実施の形態の２の支持部材６は、実施の形態１の支持部材６の外板８に傾斜部８ｋ、８ｌを形成したものである。傾斜部８ｋは、外板８の上縁部の一側の中央と切り込み罫線８ｈの一方の端部とをつなぐように形成される。傾斜部８ｌは、外板８の上縁部の他側の中央と切り込み罫線８ｈの他方の端部とをつなぐように形成される。
【００６２】
以上で説明した実施の形態２によれば、実施の形態１と同様に、外板８の上縁部において、第１及び第２折り曲げ部以外の箇所は、第１及び第２折り曲げ部よりも下方に凹む。外板９の上縁部において、第３及び第４折り曲げ部以外の箇所は、第３及び第４折り曲げ部よりも下方に凹んでいる。このため、電気掃除機を梱包した梱包装置を段積みした場合、各梱包装置にかかる荷重が傾くことをより確実に防止できる。
【００６３】
なお、実施の形態１及び２の梱包装置は、電気掃除機以外の電気機器等にも適用できる。すなわち、被梱包物を電気掃除機に限定する必要はない。
【符号の説明】
【００６４】
１  掃除機本体、  ２  ホース、  ３  連結パイプ、  ４  吸い込み具、
５  外装箱、  ５ａ  内底面、  ５ｂ  内天面、  ６  支持部材、  ７  底壁、
８  外板、  ８ａ  折り曲げ罫線、  ８ｂ  切り込み罫線、  ８ｃ  凸部、
８ｄ  折り曲げ罫線、  ８ｅ  外片、  ８ｆ  折り曲げ罫線、  ８ｇ  外片、
８ｈ  切り込み罫線、  ８ｉ  折り曲げ罫線、  ８ｊ  外片、  ８ｋ、８ｌ  傾斜部、
９  外板、  ９ａ  折り曲げ罫線、  ９ｂ  切り込み罫線、  ９ｃ  凸部、
９ｄ  折り曲げ罫線、  ９ｅ  外片、  ９ｆ  折り曲げ罫線、  ９ｇ  外片、
９ｈ  折り曲げ罫線、  ９ｉ  外片、  ９ｊ  切り込み罫線、  ９ｋ  折り曲げ罫線、
９ｌ  外片、  ９ｍ  切り込み罫線、  ９ｎ  切り込み罫線、  ９ｏ  折り曲げ罫線、
９ｐ  外片、  ９ｑ  切り込み罫線、  ９ｒ  切り込み罫線、  ９ｓ  折り曲げ罫線、
９ｔ  外片、  １０  外板、  １０ａ  折り曲げ罫線、  １０ｂ  折り曲げ罫線、
１０ｃ  外片、  １０ｄ  折り曲げ罫線、  １０ｅ  外片、  １０ｆ  折り曲げ罫線、
１０ｇ  外片、  １０ｈ  折り曲げ罫線、  １０ｉ  外片、  １０ｊ  折り曲げ罫線、
１０ｋ  外片、  １０ｌ  折り曲げ罫線、  １０ｍ  外片、  １０ｎ  切り込み罫線、
１０ｏ  切り込み罫線、  １０ｐ  折り曲げ罫線、  １０ｑ  外片、
１０ｒ  折り曲げ罫線、  １０ｓ  外片、  １０ｔ  差し込み片、
１０ｕ  差し込み片、  １１  外板、  １１ａ  折り曲げ罫線、
１１ｂ  折り曲げ罫線、  １１ｃ  外片、  １１ｄ  切り込み罫線、
１１ｅ  切り込み罫線、  １１ｆ  折り曲げ罫線、  １１ｇ  外片、
１１ｈ  折り曲げ罫線、１１ｉ  外片
【図１】
0005429258.tif 000002
【図２】
0005429258.tif 000003
【図３】
0005429258.tif 000004
【図４】
0005429258.tif 000005
【図５】
0005429258.tif 000006
【図６】
0005429258.tif 000007
【図７】
0005429258.tif 000008